(57)【要約】【課題】  インターネット上の掲示板を表示する際に、現在の話題と過去の話題を同時に扱うことを可能にする。【解決手段】  本発明は、新規に表示するコンテンツ情報を取得し、取得したコンテンツ情報に含まれる代表画像配置座標に基づいて、コンテンツを表す代表画像を表示手段上の画面に配置して、該代表画像を拡大表示する。また、コンテンツ情報を読み出し、所定の表示有効期間が終了したコンテンツ情報を取得し、取得した所定の表示有効期間が終了したコンテンツ情報に対応するコンテンツの代表画像を表示手段上で非表示し、所定の表示有効期間が終了したコンテンツ情報に対応するコンテンツに対応する掲示板を、表示手段上のジャンルを示す地図情報提示マークに関連付け、該掲示板の内容を吹き出し表示する。【選択図】  図１
2005352766.tif 000002
【特許請求の範囲】
【請求項１】
個々に表示有効期間が設定された複数のコンテンツ情報をジャンル毎に同時に表示手段上に表示する機能と、各コンテンツに対応する掲示板の概要を、該コンテンツを表す代表画像の付近に表示する機能と、表示しているコンテンツの詳細度を自由に変化させる機能とを有するコンテンツ提示装置における、コンテンツ提示方法において、
サーバまたは、コンテンツ情報を格納した記憶手段から新規に表示するコンテンツ情報を取得するステップと、
取得した前記コンテンツ情報に含まれる代表画像配置座標に基づいて、コンテンツを表す代表画像を前記表示手段上の画面に配置して、該代表画像を拡大表示するステップと、
前記サーバまたは、前記コンテンツ情報を格納した記憶手段からコンテンツ情報を読み出し、所定の表示有効期間が終了したコンテンツ情報を取得するステップと、
取得した前記所定の表示有効期間が終了したコンテンツ情報に対応するコンテンツの代表画像を前記表示手段上で非表示にするステップと、
前記所定の表示有効期間が終了したコンテンツ情報に対応するコンテンツに対応する掲示板を、前記表示手段上のジャンルを示す地図情報提示マークに関連付け、該掲示板の内容を吹き出し表示するステップと、
からなることを特徴とするコンテンツ提示方法。
【請求項２】
前記表示手段上の前記地図情報提示マークから前記掲示板の内容を吹き出し表示する内容は、
前記表示手段上の前記地図情報提示マークに関連付けられた全ての掲示板から、該掲示板の話題に関する投稿数に応じて決定する請求項１記載のコンテンツ提示方法。
【請求項３】
ユーザが、前記コンテンツ提示装置に表示される、現在から過去までの時間を自由に変更可能にするための時間制御表示バーを用いて、時間を変更した場合に、
前記サーバまたは、前記コンテンツ情報を格納した記憶手段から取得したコンテンツ情報が有する表示有効期間に応じて、前記表示手段上の代表画像に表示するコンテンツを動的に変化させる請求項１記載のコンテンツ提示方法。
【請求項４】
前記ユーザが前記時間表示バーを用いて、現在から過去までの時間を変更した際に、
取得した前記コンテンツ情報が有する表示有効期間が終了し、非表示となったコンテンツに対応する掲示板を、前記表示手段上の前記地図情報提示マークに動的に関連付ける請求項３記載のコンテンツ提示方法。
【請求項５】
前記非表示となったコンテンツに対応する掲示板のコンテンツＩＤ，ジャンル情報を記憶手段に格納し、各ジャンル情報毎に、掲示板における一つの話題に対する投稿記事群であるスレッドのスレッドＩＤ毎の投稿数を集計し、最も投稿数の多いスレッドＩＤのコンテンツのタイトルを、前記表示手段上の対応する地図情報提示マークの位置に吹き出し表示する請求項４記載のコンテンツ提示方法。
【請求項６】
個々に表示有効期間が設定された複数のコンテンツ情報をジャンル毎に同時に表示手段上に表示する手段と、各コンテンツに対応する掲示板の概要を、該コンテンツを表す代表画像の付近に表示する手段と、表示しているコンテンツの詳細度を自由に変化させる手段とを有するコンテンツ提示装置であって、
新規コンテンツ表示手段と、コンテンツ削除手段と、を有し、
前記新規コンテンツ表示手段は、
サーバまたは、コンテンツ情報を格納した記憶手段から新規に表示するコンテンツ情報を取得する手段と、
取得した前記コンテンツ情報に含まれる代表画像配置座標に基づいて、コンテンツを表す代表画像を前記表示手段上の画面に配置して、該代表画像を拡大表示する手段と、
を有し、
前記コンテンツ削除手段は、
前記サーバまたは、前記コンテンツ情報を格納した記憶手段からコンテンツ情報を読み出し、所定の表示有効期間が終了したコンテンツ情報を取得する手段と、
取得した前記所定の表示有効期間が終了したコンテンツ情報に対応するコンテンツの代表画像を前記表示手段上で非表示にする手段と、
前記所定の表示有効期間が終了したコンテンツ情報に対応するコンテンツに対応する掲示板を、前記表示手段上のジャンルを示す地図情報提示マークに関連付け、該掲示板の内容を吹き出し表示する手段と、を有する
ことを特徴とするコンテンツ提示装置。
【請求項７】
前記コンテンツ削除手段において、前記表示手段上の前記地図情報提示マークから前記掲示板の内容を吹き出し表示する内容は、
前記表示手段上の前記地図情報提示マークに関連付けられた全ての掲示板から、該掲示板の話題に関する投稿数に応じて前記表示する内容を決定する請求項６記載のコンテンツ提示装置。
【請求項８】
ユーザが、前記コンテンツ提示装置に表示される、現在から過去までの時間を自由に変更可能にするための時間制御表示バーを用いて、時間を変更した場合に、
前記サーバまたは、前記コンテンツ情報を格納した記憶手段から取得したコンテンツ情報が有する表示有効期間に応じて、前記表示手段上の代表画像に表示するコンテンツを動的に変化させる手段を含む請求項６記載のコンテンツ提示装置。
【請求項９】
前記ユーザが前記時間表示バーを用いて、現在から過去までの時間を変更した際に、
取得した前記コンテンツ情報が有する表示有効期間が終了し、非表示となったコンテンツに対応する掲示板を、前記表示手段上の前記地図情報提示マークに動的に関連付ける手段を含む請求項８記載のコンテンツ提示装置。
【請求項１０】
前記非表示となったコンテンツに対応する掲示板のコンテンツＩＤ，ジャンル情報を記憶手段に格納し、各ジャンル情報毎に、掲示板における一つの話題に対する投稿記事群であるスレッドのスレッドＩＤ毎の投稿数を集計し、最も投稿数の多いスレッドＩＤのコンテンツのタイトルを、前記表示手段上の対応する地図情報提示マークの位置に吹き出し表示する請求項４記載のコンテンツ提示方法。
【請求項１１】
時間制御型ナビゲーションを行うためのコンテンツ提示プログラムであって、
前記請求項１乃至5記載のコンテンツ提示方法の実現に用いられる処理をコンテンツに実行させることを特徴とするコンテンツ提示プログラム。
【発明の詳細な説明】
【技術分野】
【０００１】
本発明は、時間制御型コンテンツ提示方法及び装置及びプログラムに係り、特に、日々更新される膨大なコンテンツ情報とコンテンツに関する話題の可視化を目的とし、更新日時と表示有効期間に着目した時間制御型ナビゲーションを行うための時間制御型コンテンツ提示方法及び装置及びプログラムに関する。
【背景技術】
【０００２】
現在、現実世界における話題やインターネット上のコンテンツに対する話題として、一般ユーザの意見や質疑応答は、インターネット上の掲示板で盛んに行なわれている。これらの話題の殆どは、今現在の最新話題に関するものであり、現在の流行に沿って数多くの投稿が行なわれている。また、それと同時に過去の話題に関してジャンルや、話題内容によって整理し、再活用する試みも活発に行なわれている。ここで、コンテンツをきっかけにした話題の表現方法として、コンテンツの持つ掲示板から最新の話題を抽出し、画面上に吹き出し表示して世の中の流行を表現する技術がある（例えば、非特許文献１参照）。
【非特許文献１】日本電信電話株式会社「World Wide Navi」(http://agnv-qvsv1.nta.co-jp/WWW_TOP.htm)
【発明の開示】
【発明が解決しようとする課題】
【０００３】
インターネット上で公開されている情報や話題などは、非常に流動的であり、現在の話題に関する情報収集は簡単であるが、過去の話題に関する情報収集は非常に困難である。特に、掲示板に関しては、過去から現在のものまで時系列的に管理されているものが多く、過去の話題から自分の興味のある話題を探すことが困難である。
【０００４】
本発明は、上記の点に鑑みなされたもので、現在の話題と過去の話題を同時に扱うことが可能な時間制御型コンテンツ提示方法及び装置及びプログラムを提供することを目的とする。
【課題を解決するための手段】
【０００５】
図１は、本発明の原理を説明するための図である。
【０００６】
本発明（請求項１）は、個々に表示有効期間が設定された複数のコンテンツ情報をジャンル毎に同時に表示手段上に表示する機能と、各コンテンツに対応する掲示板の概要を、該コンテンツを表す代表画像（サムネイル）の付近に表示する機能と、表示しているコンテンツの詳細度を自由に変化させる機能とを有するコンテンツ提示装置における、コンテンツ提示方法において、
サーバまたは、コンテンツ情報を格納した記憶手段から新規に表示するコンテンツ情報を取得するステップ（ステップ１）と、
取得したコンテンツ情報に含まれる代表画像配置座標に基づいて、コンテンツを表す代表画像を表示手段上の画面に配置して、該代表画像を拡大表示するステップ（ステップ２）と、
サーバまたは、コンテンツ情報を格納した記憶手段からコンテンツ情報を読み出し、所定の表示有効期間が終了したコンテンツ情報を取得するステップ（ステップ３）と、
取得した所定の表示有効期間が終了したコンテンツ情報に対応するコンテンツの代表画像を表示手段上で非表示にするステップ（ステップ４）と、
所定の表示有効期間が終了したコンテンツ情報に対応するコンテンツに対応する掲示板を、表示手段上のジャンルを示す地図情報提示マークに関連付け、該掲示板の内容を吹き出し表示するステップ（ステップ５）と、からなる。
【０００７】
また、本発明（請求項２）は、表示手段上の地図情報提示マークから掲示板の内容を吹き出し表示する内容は、表示手段上の地図情報提示マークに関連付けられた全ての掲示板から、該掲示板の話題に関する投稿数に応じて決定する。
【０００８】
本発明（請求項３）は、ユーザが、コンテンツ提示装置に表示される、現在から過去までの時間を自由に変更可能にするための時間制御表示バーを用いて、時間を変更した場合に、サーバまたは、コンテンツ情報を格納した記憶手段から取得したコンテンツ情報が有する表示有効期間に応じて、表示手段上の代表画像に表示するコンテンツを動的に変化させる。
【０００９】
本発明（請求項４）は、ユーザが時間表示バーを用いて、現在から過去までの時間を変更した際に、取得したコンテンツ情報が有する表示有効期間が終了し、非表示となったコンテンツに対応する掲示板を、表示手段上の地図情報提示マークに動的に関連付ける。
【００１０】
本発明（請求項５）は、非表示となったコンテンツに対応する掲示板のコンテンツＩＤ，ジャンル情報を記憶手段に格納し、各ジャンル情報毎に、掲示板における一つの話題に対する投稿記事群であるスレッドのスレッドＩＤ毎の投稿数を集計し、最も投稿数の多いスレッドＩＤのコンテンツのタイトルを、表示手段上の対応する地図情報提示マークの位置に吹き出し表示する。
【００１１】
図２は、本発明の原理構成図である。
【００１２】
本発明（請求項６）は、個々に表示有効期間が設定された複数のコンテンツ情報をジャンル毎に同時に表示手段１０５上に表示する手段と、各コンテンツに対応する掲示板の概要を、該コンテンツを表す代表画像の付近に表示する手段と、表示しているコンテンツの詳細度を自由に変化させる手段とを有するコンテンツ提示装置であって、
新規コンテンツ表示手段１０１と、コンテンツ削除手段１０２と、を有し、
新規コンテンツ表示手段は、
サーバ１０３または、コンテンツ情報を格納した記憶手段１０４から新規に表示するコンテンツ情報を取得する手段と、
取得したコンテンツ情報に含まれる代表画像配置座標に基づいて、コンテンツを表す代表画像を表示手段上の画面に配置して、該代表画像を拡大表示する手段と、を有し、
コンテンツ削除手段１０２は、
サーバ１０３または、コンテンツ情報を格納した記憶手段１０４からコンテンツ情報を読み出し、所定の表示有効期間が終了したコンテンツ情報を取得する手段と、
取得した所定の表示有効期間が終了したコンテンツ情報に対応するコンテンツの代表画像を表示手段１０５上で非表示にする手段と、
所定の表示有効期間が終了したコンテンツ情報に対応するコンテンツに対応する掲示板を、表示手段上のジャンルを示す地図情報提示マークに関連付け、該掲示板の内容を吹き出し表示する手段と、を有する。
【００１３】
また、本発明（請求項７）は、コンテンツ削除手段１０２において、表示手段上の地図情報提示マークから掲示板の内容を吹き出し表示する内容は、表示手段１０５上の地図情報提示マークに関連付けられた全ての掲示板から、該掲示板の話題に関する投稿数に応じて表示する内容を決定する。
【００１４】
また、本発明（請求項８）は、ユーザが、コンテンツ提示装置に表示される、現在から過去までの時間を自由に変更可能にするための時間制御表示バーを用いて、時間を変更した場合に、サーバ１０３または、コンテンツ情報を格納した記憶手段１０４から取得したコンテンツ情報が有する表示有効期間に応じて、表示手段上の代表画像に表示するコンテンツを動的に変化させる手段を含む。
【００１５】
また、本発明（請求項９）は、ユーザが時間表示バーを用いて、現在から過去までの時間を変更した際に、取得したコンテンツ情報が有する表示有効期間が終了し、非表示となったコンテンツに対応する掲示板を、表示手段１０５上の地図情報提示マークに動的に関連付ける手段を含む。
【００１６】
また、本発明（請求項１０）は、非表示となったコンテンツに対応する掲示板のコンテンツＩＤ，ジャンル情報を記憶手段に格納し、各ジャンル情報毎に、掲示板における一つの話題に対する投稿記事群であるスレッドのスレッドＩＤ毎の投稿数を集計し、最も投稿数の多いスレッドＩＤのコンテンツのタイトルを、表示手段１０５上の対応する地図情報提示マークの位置に吹き出し表示する。
【００１７】
本発明（請求項１１）は、時間制御型ナビゲーションを行うためのコンテンツ提示プログラムであって、上記の請求項１乃至5記載のコンテンツ提示方法の実現に用いられる処理をコンテンツに実行させるコンテンツ提示プログラムである。
【発明の効果】
【００１８】
上記のように、本発明によれば、現在の話題と過去の話題を同時に扱え、時間を制御することにより設定した時刻での新鮮な情報と過去の話題を同時に扱うことができる。
【発明を実施するための最良の形態】
【００１９】
以下、図面と共に本発明の実施の形態を説明する。
【００２０】
図３は、本発明の一実施の形態におけるコンテンツ提示装置の構成を示す。
【００２１】
本発明のコンテンツ提示装置は、表示有効期間が設定された複数のコンテンツ情報を同時に表示でき、また、各コンテンツは掲示板をもち、掲示板の概要はコンテンツを現す代表画像付近に表示されており、表示しているコンテンツ情報の詳細度を自由に変化させることができるものとする。
【００２２】
同図に示すコンテンツ提示装置は、代表画像吹き出し情報表示部１、時間情報制御部２、コンテンツ情報配信部３、地理情報制御部４、吹き出し情報抽出部５、コンテンツ可視化情報記憶部６、コンテンツ情報記憶部７、地理情報記憶部８、吹き出し情報記憶部９、及びユーザ投稿記憶部１０及び掲示板作成部１１から構成される。
【００２３】
コンテンツ可視化情報記憶部６は、コンテンツのサムネイル等の画像や背景画像等を格納する。
【００２４】
コンテンツ情報記憶部７は、サーバ（図示せず）から取得したコンテンツＩＤ，コンテンツタイトル、コンテンツ実体ＵＲＬ，代表画像ＵＲＬ，ジャンル、概要文、代表画像配置Ｘ座標、代表画像配置Ｙ座標、表示有効期限からなるコンテンツ情報を格納する。
【００２５】
地理情報記憶部８は、表示有効期限が切れたコンテンツのコンテンツＩＤ、ジャンル情報、及び、表示有効期限が切れたコンテンツを削除した日時を格納するレコードと、ジャンルと当該ジャンルに対応するコンテンツＩＤを格納するレコードからなる。
【００２６】
吹き出し情報記憶部９は、表示手段に吹き出し表示する文字列の文字数や行数を格納する。
【００２７】
ユーザ投稿記憶部１０は、コンテンツＩＤ、投稿日時、スレッドＩＤ、投稿タイトル、投稿記事からなる掲示板情報を格納する。
【００２８】
コンテンツ情報配信部３は、コンテンツ情報記憶部７からコンテンツ情報を読み出し、当該コンテンツ情報を時間情報制御部２に転送する。また、時間情報制御部２から消去するコンテンツＩＤが通知された場合には、当該コンテンツＩＤに対応するジャンル情報、削除日時を地理情報制御部４に転送する。
【００２９】
時間情報制御部２は、コンテンツ情報に含まれる表示有効期限と現在時刻を比較して、新規コンテンツであると判断した場合には、代表画像吹き出し情報表示部1に対して代表画像を拡大表示するための代表画像拡大フラグをコンテンツ情報と共に転送する。また、後述する時間制御表示バーを用いてユーザが指定した時間と、コンテンツ情報配信部３から転送されたコンテンツ情報に含まれる表示有効期限を比較する。このとき、時間制御表示バーにより取得した時間情報を経過した表示有効期限である場合には、代表画像吹き出し情報表示部１に削除するコンテンツＩＤを通知する。また、コンテンツ情報配信部３に対して、消去するコンテンツＩＤを通知する。
【００３０】
代表画像吹き出し情報表示部１は、時間情報制御部２から代表画像吹き出しフラグを取得した場合には、転送されたコンテンツ情報及びコンテンツ可視化情報記憶部６から読み出した代表画像を拡大表示する。また、時間情報制御部２から削除すべきコンテンツＩＤが通知された場合には、表示手段上の画面から当該コンテンツＩＤに対応する代表画像を消去する。
【００３１】
地理情報制御部４は、吹き出し情報抽出部５に対して、削除すべきコンテンツＩＤを送信し、吹き出し情報取得依頼情報を転送する。また、吹き出し情報抽出部５から吹き出し表示対象となった掲示板情報を、地理情報（ジャンル、情報内容）として地理情報記憶部８に格納する。
【００３２】
吹き出し情報抽出部５は、地理情報制御部4からコンテンツＩＤを取得すると、当該コンテンツＩＤに対応する掲示板情報をユーザ投稿記憶部１０から読み出し、各スレッド毎に投稿数を集計し、最も投稿数の多いスレッドＩＤの最も古い掲示板情報（または複数の掲示板情報）の投稿タイトルを吹き出し表示対象として代表画像吹き出し情報表示部１に転送する。また、当該表示対象となった掲示板情報を地理情報制御部４に転送する。
【００３３】
掲示板生成部１１は、ユーザが代表画像吹き出し情報表示部1により表示された掲示板に書き込みを行った記事を掲示板情報としてユーザ投稿記憶部１０に格納すると共に、代表画像吹き出し情報表示部１から新規コンテンツとして代表画像表示されたコンテンツＩＤを取得すると、ユーザ投稿記憶部１０から当該コンテンツＩＤに基づいて、ユーザ投稿記事を抽出し、当該コンテンツに対する掲示板情報を生成し、ユーザ投稿記憶部１０に格納する。
【００３４】
以下に上記の構成における動作の概要を説明する。
［新規コンテンツ表示処理］
図４は、本発明の一実施の形態における新規にコンテンツを表示する処理のフローチャートである。
【００３５】
ステップ１０１）  予め新規に表示するコンテンツ情報としてサーバ（図示せず）からコンテンツのコンテンツＩＤ，コンテンツタイトル、コンテンツ実体ＵＲＬ、ジャンル、概要文、代表画像配置座標（空間Ｘ座標、空間Ｙ座標）、表示有効期限を取得し、コンテンツ情報記憶部７に格納しておく。コンテンツ情報配信部３は、コンテンツ情報記憶部７にアクセスし、上記の情報を取得し、時間情報制御部２に転送する。時間情報制御部２は、表示有効期限を参照し、所定の期間内であれば取得した情報を代表画像吹き出し情報表示部１に転送する。
【００３６】
ステップ１０２）  代表画像吹き出し情報表示部１は、転送された情報を代表画像配置座標に基づいて代表画像（サムネイル）を画面上に配置し、その際に代表画像を拡大する。
【００３７】
ステップ１０３）  掲示板作成部１１は、ステップ１０１で取得した新規コンテンツに関する掲示板を作成し、ユーザ投稿記憶部１０に格納する。
【００３８】
［表示有効期限の切れたコンテンツを削除する処理］
次に、画面内に表示しているコンテンツ情報を削除する処理について説明する。
【００３９】
図５は、本発明の一実施の形態におけるコンテンツ削除処理のフローチャートである。
【００４０】
ステップ２０１）  コンテンツ情報配信部３は、コンテンツ情報をサーバ（図示せず）から直接または、サーバから取得され、コンテンツ情報記憶部７に格納されているコンテンツ情報を読み出して、コンテンツ情報を表示する有効期限の切れたコンテンツ情報のコンテンツＩＤを取得する。
【００４１】
ステップ２０２）  コンテンツ情報配信部３は、取得したコンテンツＩＤを、時間情報制御部２を介して代表画像吹き出し情報表示部１に転送する。これにより、代表画像吹き出し情報表示部１は、対象となるコンテンツＩＤの代表画像を削除する。
【００４２】
ステップ２０３）  地理情報制御部４は、ステップ２０２で削除されたコンテンツに対応する掲示板ＵＲＬを地図情報記憶部８内に保持する。
【００４３】
［関連付け掲示板表示処理］
次に、地図情報記憶部８の地図情報に関連付けられたユーザ投稿記憶部１０の掲示板内の話題を吹き出し表示する処理について説明する。
【００４４】
図６は、本発明の一実施の形態における関連付け掲示板表示処理のフローチャートである。
【００４５】
ステップ３０１）  吹き出し情報抽出部５は、地図情報記憶部８の地図情報に関連付けられたユーザ投稿記憶部１０内の掲示板に対し、各スレッドに含まれる投稿数を全て集計する。ここで、スレッドとは、掲示板における一つの話題（コンテンツＩＤ）に対する投稿記事群を指す。
【００４６】
ステップ３０２）  吹き出し情報抽出部５は、最も投稿数の多いスレッドの持つ最初の投稿を代表画像吹き出し情報表示部１に転送し、代表画像吹き出し情報表示部１において、最初の投稿を地図情報提示マークの位置に吹き出し表示する。そして、予め設定された一定時間経過後、現在表示されている吹き出しを消去し、吹き出し情報抽出部５において、ユーザ投稿記憶部１０から次に投稿数を多く持つスレッドの最初の投稿が抽出されると、代表画像吹き出し情報表示部１において、当該投稿を対応するジャンルの地理情報提示マークの位置に吹き出し表示する。
【００４７】
［時間制御表示処理］
次に、時間を動的に変えてコンテンツ情報を表示する処理について説明する。
【００４８】
図７は、本発明の一実施の形態における時間制御表示処理のフローチャートである。
【００４９】
ステップ４０１）  始めに、ユーザから表示する時間を取得する。取得する方法としては、画面上に表示されるユーザが現在から過去までの時間を自由に変更可能な時間制御表示バーのマークをマウス等で移動させた値を入力とし、当該入力値に基づいて表示する時間を決定し、時間情報制御部２に入力するものとする。
【００５０】
ステップ４０２）  時間情報制御部２は、入力された時間をコンテンツ情報配信部３に転送する。これにより、コンテンツ情報配信部３は、入力された時間を含むコンテンツの表示有効期限を有するコンテンツ情報をコンテンツ情報記憶部７から読み出す。読み出されるコンテンツ情報としては、コンテンツＩＤ，コンテンツタイトル，コンテンツの実体ＵＲＬ，代表画像ＵＲＬ，ジャンル、概要文、代表画像配置Ｘ座標、代表画像配置Ｙ座標、表示有効期限等である。コンテンツ情報配信部３は、これらの情報を読み出すと、時間情報制御部２を介して代表画像吹き出し情報表示部１に転送する。
【００５１】
ステップ４０３）  代表画像吹き出し情報表示部１は、ステップ４０２で取得したコンテンツ情報の代表画像配置座標に基づいて、代表画像を配置し、その際に当該代表画像を拡大表示する。
【００５２】
ステップ４０４）  掲示板作成部１１は、新規コンテンツに対する掲示板を作成し、ユーザ投稿記憶部１０に格納する。
【００５３】
ステップ４０５）  コンテンツ情報配信部３は、予め設定された時間に対し、コンテンツ情報を表示する有効期限の切れたコンテンツ情報として、コンテンツ情報記憶部７からコンテンツ情報のコンテンツＩＤを取得して、時間情報制御部２を介して代表画像吹き出し情報表示部１に転送する。
【００５４】
ステップ４０６）  代表画像吹き出し情報表示部１は、転送されたコンテンツＩＤの代表画像を画面上から消去する。
【００５５】
ステップ４０７）  コンテンツ情報配信部３は、ステップ４０５で取得したコンテンツＩＤを地理情報制御部４にも転送し、これにより、地理情報制御部４において地図情報記憶部８に当該コンテンツＩＤに対応する掲示板ＵＲＬを保持する。
【００５６】
ステップ４０８）  吹き出し情報抽出部５は、地理情報制御部４を介して取得した地理情報に関連付けられたユーザ投稿記憶部１０の掲示板に対し、各スレッドに含まれる投稿数を全て集計する。
【００５７】
ステップ４０９）  吹き出し情報抽出部５は、ユーザ投稿記憶部１０から最も投稿数の多いスレッドを持つ最初の投稿を読み出して、代表画像吹き出し情報表示部１に転送する。これにより、代表画像吹き出し情報表示部１は、吹き出し情報抽出部５から転送された投稿を地理情報提示マークの位置に吹き出し表示する。そして、予め設定された一定の時間経過後、現在の吹き出し表示を消去し、吹き出し情報抽出部５において次に投稿数を多くもつスレッドの最初の投稿をユーザ投稿記憶部１０から読み出し、代表画像吹き出し情報表示部１が当該投稿を地理情報提示マークの位置に吹き出し表示する。
【実施例】
【００５８】
以下、図面と共に具体的な例を用いて説明する。
【００５９】
以下の実施例では、予めサーバ（図示せず）からコンテンツ情報を取得し、コンテンツ情報記憶部７に格納しているものとして説明する。
【００６０】
本実施例では、システム内の現在時刻がコンテンツの公開開始日から５日間の間であれば、そのコンテンツを新規コンテンツとして代表画像を拡大して表示するものとする。
【００６１】
［新規コンテンツの表示処理］
まず、始めに、新規コンテンツの表示処理について説明する。
【００６２】
この例では、現在時刻を「２００４年４月１日０８時３０分００秒」とする。新規コンテンツを探すため、コンテンツ情報配信部３からコンテンツ情報記憶部７へアクセスし、新規にコンテンツ情報記憶部７に登録されているコンテンツとして、表１のような情報を持つコンテンツが検索されたものとする。
【００６３】
【表１】
2005352766.tif 000003
このコンテンツ情報をコンテンツ情報配信部３から時間情報制御部２に送信する。次に、時間情報制御部２は、現在時刻に対して、コンテンツの表示有効期限の開始日が５日以内であるため、新規コンテンツと見做し、代表画像・吹き出し情報表示部１へ代表画像を拡大するフラグと、代表画像を配置する座標である表１の空間Ｘ座標、空間Ｙ座標を送信する。
【００６４】
代表画像・吹き出し情報表示部１は、代表画像拡大フラグと、代表画像を配置する座標を受信すると、代表画像を拡大して画面上に配置する。表１のコンテンツの代表画像を、画面に配置した例を図８に示す。
【００６５】
［表示有効期限切れのコンテンツの削除処理］
次に、表示有効期限の切れたコンテンツを削除する処理について説明する。
【００６６】
この例では、現在時刻を「２００４年４月１日０８時３０分００秒」とする。表示有効期限の切れたコンテンツを探すため、コンテンツ情報配信部３は、コンテンツ情報記憶部７へアクセスし、システムの現在時刻に対して、表示有効期限が切れているコンテンツを検索する。ここで、表示期限の切れたコンテンツとして、表２のような情報を持つコンテンツが検索されたものとする。
【００６７】
【表２】
2005352766.tif 000004
この削除するコンテンツのコンテンツＩＤをコンテンツ情報配信部３から時間情報制御部２へ送信する。時間情報制御部２は、代表画像・吹き出し情報表示部１へ削除するコンテンツのコンテンツＩＤを送信し、代表画像・吹き出し情報表示部１は、画面から対象とするコンテンツの代表画像を画面内から消去する。そして、コンテンツ情報配信部３から地理情報制御部４へ、削除したコンテンツＩＤとジャンル情報、削除日時を送信する。
【００６８】
コンテンツを削除した時に、その削除したコンテンツの持つ掲示板を、コンテンツの属する地理情報へ関連付ける。本実施例での地理情報は、コンテンツのジャンルとし、コンテンツのジャンルが画面内に配置されているものとする。
【００６９】
地理情報制御部４は、コンテンツＩＤとジャンル情報、削除日時を受信すると、地理情報記憶部８へ表３のように格納する。
【００７０】
【表３】
2005352766.tif 000005
表３では、削除したコンテンツのコンテンツＩＤをインデックスとし、そのコンテンツの属するジャンル、削除日時を格納している。ここで、複数のコンテンツが削除されている場合は、地理情報記憶部８には複数のコンテンツＩＤ、ジャンル情報、削除日時が格納される。
【００７１】
次に、地理情報制御部４は、吹き出し情報抽出部５に対し、コンテンツＩＤ「ＦＦＦＦ５５５」の吹き出し情報取得依頼情報を送信する。
【００７２】
吹き出し情報抽出部５は、地理情報制御部４からコンテンツＩＤを受け取ると、ユーザ投稿記憶部１０の該当するコンテンツの掲示板から、各スレッドＩＤ毎に投稿数を集計する。表４に「ＦＦＦＦ５５５」のコンテンツに対する投稿記事の例を示す。
【００７３】
【表４】
2005352766.tif 000006
この例では、スレッドＩＤ「１１２１」の投稿数が４、スレッドＩＤ「１４４３」の投稿数が２、スレッドＩＤ「１６７５」の投稿数が１であり、最も投稿数の多いスレッドＩＤ「１１２１」の投稿のタイトルを吹き出し表示する。
【００７４】
吹き出し表示する際には、吹き出し情報抽出部５は、スレッドＩＤ「１１２１」の最も古い記事である投稿日時「2004/01/03  10：55：00」の投稿タイトル「美味しい料理だった」を代表画像・吹き出し情報表示部１へ送信し、「ドキュメンタリー」の地理情報提示マークの近くに吹き出し表示する。この表示例を図９に示す。
【００７５】
吹き出し情報は、予め決められた一定時間を過ぎると画面から消去され、次に投稿数の多いスレッドの投稿タイトルを表示する。表４の例では、スレッドＩＤ「１４４３」の投稿日時「2004/01/02  22：21：34」の投稿タイトル「大道芸人いっぱい」が表示される。
【００７６】
ここで、地図情報制御部４において、地理情報記憶部８の地理情報は複数の掲示板を関連付ける。複数のコンテンツが削除された場合には、削除されたコンテンツのもつ掲示板が全て地理情報に関連付けられて地図情報記憶部８に格納され、吹き出し表示する際には、その地理情報に関連付けられている全ての掲示板情報のスレッドＩＤに対し投稿数を集計する。
【００７７】
また、関連付けされた掲示板には有効期限はなく、地理情報記憶部８の中に蓄積される。
【００７８】
［時間制御表示処理］
次に、時間制御表示処理について説明する。
【００７９】
時間制御表示を行う場合には、ユーザが図１０のような画面下の時間制御表示バー２０を移動させると、現在時刻から過去の時刻まで自由に設定できる。この時間制御表示バー２０で設定した時間を使って、コンテンツの代表画像を拡大表示したり、消去できる。
【００８０】
ユーザにより時間制御表示バーが「2004/04/01/08：30：00」に設定されると、前述の処理が全て実行される。次に、この時間制御表示バー２０によって「2004/02/15/08：30：00」に設定されると、上記の表１,表２、表５、表６のコンテンツにおいて、表１、表２、表６のコンテンツＩＤ「ＦＦＦＦ５５３」、「ＦＦＦＦ５５９」が表示有効期限外のため削除される。
【００８１】
【表５】
2005352766.tif 000007
【００８２】
【表６】
2005352766.tif 000008
この削除処理は、削除対象のコンテンツのコンテンツＩＤをコンテンツ情報配信部３から時間情報制御部２へ送信する。次に、時間情報制御部２は、代表画面・吹き出し情報表示部１へ削除するコンテンツのコンテンツＩＤを送信し、代表画像・吹き出し情報表示部１は画面から対象とするコンテンツの代表画面を画面内から消去する。そして、コンテンツ情報配信部３から地理情報制御部４へ削除したコンテンツＩＤとジャンル情報、削除日時を送信する。地理情報制御部４は、コンテンツＩＤとジャンル情報を受信すると、地理情報記憶部８へ受信した情報を格納する。ここで、コンテンツＩＤ「ＦＦＦＦ５５３」「ＦＦＦＦ５５５」「ＦＦＦＦ５５９」を地理情報記憶部８に格納した状態を表７に示す。
【００８３】
【表７】
2005352766.tif 000009
そして、表７における各ジャンルに対し、吹き出し情報抽出部５は、地理情報制御部４からジャンル情報を取得し、当該ジャンルにおける掲示板内のスレッドＩＤ毎の投稿数を集計し、最も投稿数の多いスレッドＩＤの古い記事のタイトルを代表画像・吹き出し情報表示部１へ代表画像を拡大するフラグと、代表画像を配置する座標である表１の空間Ｘ座標、空間Ｙ座標を送信する。
【００８４】
代表画像・吹き出し情報表示部１は、代表画像拡大フラグと、代表画像を配置する座標を受信すると、代表画像を拡大して画面上に配置する。
【００８５】
なお、上記の図４〜図７のフローチャートの動作をプログラムとして構築し、コンテンツ提示装置として利用されるコンピュータにインストールしてＣＰＵ等の制御手段に実行させる、または、ネットワークを介して流通させることも可能である。
【００８６】
なお、本発明は、上記の実施の形態及び実施例に限定されることなく、特許請求の範囲内において種々変更・応用が可能である。
【産業上の利用可能性】
【００８７】
本発明は、コンテンツ情報とコンテンツに関する話題の可視化を行なうための技術に適用可能である。
【図面の簡単な説明】
【００８８】
【図１】本発明の原理を説明するための図である。
【図２】本発明の原理構成図である。
【図３】本発明の一実施の形態におけるコンテンツ提供装置の構成図である。
【図４】本発明の一実施の形態における新規にコンテンツを表示する処理のフローチャートである。
【図５】本発明の一実施の形態におけるコンテンツ削除処理のフローチャートである。
【図６】本発明の一実施の形態における関連付け掲示板表示処理のフローチャートである。
【図７】本発明の一実施の形態における時間制御表示処理のフローチャートである。
【図８】本発明の一実施の形態における代表画像拡大図である。
【図９】本発明の一実施の形態における吹き出し情報表示図である。
【図１０】本発明の一実施の形態における時間制御インタフェース図である。
【符号の説明】
【００８９】
１  代表画像吹き出し情報表示部
２  時間情報制御部
３  コンテンツ情報配信部
４  地理情報制御部
５  吹き出し情報抽出部
６  コンテンツ可視化情報記憶部
７  コンテンツ情報記憶部
８  地理情報記憶部
９  吹き出し情報記憶部
１０  ユーザ投稿記憶部
１１  掲示板生成部
２０  時間制御表示バー
１０１  新規コンテンツ表示手段
１０２  コンテンツ削除手段
１０３  サーバ
１０４  記憶手段
１０５  表示手段
【図１】
2005352766.tif 000010
【図２】
2005352766.tif 000011
【図３】
2005352766.tif 000012
【図４】
2005352766.tif 000013
【図５】
2005352766.tif 000014
【図６】
2005352766.tif 000015
【図７】
2005352766.tif 000016
【図８】
2005352766.tif 000017
【図９】
2005352766.tif 000018
【図１０】
2005352766.tif 000019